(57)【要約】【課題】  平面型共振器の付近での横方向の放射の抑制に有効な平面アンテナおよびアンテナアレイシステムを提供する。【解決手段】  マイクロ波の偏波を用いる平面アンテナ１は、前記平面アンテナの外周部に幅広の導体１３を設け、前記導体を地導体２３と接続することによって構成される。また、マイクロ波の偏波を用いるアンテナアレイを有するアンテナアレイシステム１００は、前記アンテナアレイの外周部に幅広の導体１１３を設け、前記導体を地導体１２３と接続することによって構成される。【選択図】図１
2020043422.tif 000002
【特許請求の範囲】
【請求項１】
マイクロ波の偏波を用いる平面アンテナにおいて、
前記平面アンテナの外周部に幅広の導体を設け、
前記導体を地導体と接続することによって構成される、平面アンテナ。
【請求項２】
マイクロ波の偏波を用いるアンテナアレイを有するアンテナアレイシステムにおいて、
前記アンテナアレイの外周部に幅広の導体を設け、
前記導体を地導体と接続することによって構成される、アンテナアレイシステム。
【請求項３】
前記導体は、前記地導体、第１誘電体、共振用内導体、第２誘電体、およびリアクタンス用内導体により構成される平面型共振器の、電磁界の主な放射方向を向く面の端部に沿って設けられる導体プレートと、前記平面型共振器の外側面を覆う筒導体とを有し、前記筒導体の一端は前記導体と接続され、前記筒状体の他端は前記地導体に接続されている、請求項１記載の平面アンテナ。
【請求項４】
前記導体と前記地導体との間には終端短絡１／４波長経路が形成される、請求項３記載の平面アンテナ。
【発明の詳細な説明】
【技術分野】
【０００１】
本発明は、縦方向に放射するための円偏波平面型アンテナとそれを複数用いたアレイアンテナシステムにおいて、
横方向への放射を抑制することにより、放射特性を向上するための方法に関する。
【背景技術】
【０００２】
平面型アレイアンテナ（パッチアンテナとも言う）は、マイクロストリップライン、またはトリプレートストリップラインで、共振器を構成し、その共振器から縦方向に放射するよう設計される。これらのアンテナは厚さが薄く、誘電体の使用により、アンテナの大きさを小型にでき、航空機、船舶、衛星通信用として有効である。
【０００３】
具体的には、マイクロストリップラインの平面型アレイアンテナでは、平面アンテナとして、誘電体の下面を地導体で覆い、上面の内導体とで共振器を構成し、内導体に給電する。
【０００４】
従来のトリプレートストリップラインの平面型アレイアンテナ３００では、地導体３２３、誘電体３１１、共振用内導体３２１、誘電体３１２、およびリアクタンス用内導体３２２により平面型共振器を構成する（図４参照）。導体３２２に給電し、導体３２２は、共振器の同調と縦方向への放射のガイドを兼ねる。
【発明の概要】
【発明が解決しようとする課題】
【０００５】
本発明はトリプレートストリップライン型平面アンテナを基準に考える。しかし、マイクロストリップライン型にも適用される。
ｘ、ｙ、ｚ軸よりなる３次元を考え、ｚ軸方向への電磁界の放射を想定する。図４に示すように、従来のストリップライン型アンテナでは、誘電体３１１、誘電体３１２、地導体３２３の全体がｘ−ｙ面内で有限の大きさで周辺が切断されている。
【０００６】
平面型アンテナから放射される電磁界は、縦方向（z軸）のみでなく横方向（ｘ、ｙ軸）方向にも放射される。上述の構造では、平面型共振器の周辺で横方向の電磁界が反射し、内部の平面アンテナおよびアレイアンテナの指向性と干渉して、指向特性の劣化、特に利得の低下と狭帯域化をもたらす。
【課題を解決するための手段】
【０００７】
本発明は、アンテナの横方向へのマイクロ波の放射を抑制する方法を与える。具体的には、アンテナまたはアレイアンテナの周囲において、終端を短絡した四分の一波長線路を、ｘ−ｙ面内の最外部に設ける。
【０００８】
これにより、アンテナからのｘ−ｙ方向への放射を阻止する。このため、ストリップラインの地導体を縦方向（ｚ軸方向、すなわち電磁界の主な放射方向）に沿って延長し、さらにリアクタンス用内導体と同一平面内で地導体を折り返し、その長さを四分の一波長に定める。
終端短絡の四分の一波長線路は、ｚ方向への円筒と、上面での折り返しとで構成される。筒の形は円、正方形、その他も含み限定されない。
【発明の効果】
【０００９】
アンテナ外周に設置した導体は、接続した筒導体および地導体とともに、終端短絡の四分の一線路を構成し、平面型共振器の付近、即ちｚ軸の原点付近（near field）での横方向（ｘ−ｙ平面）の放射の抑制に有効である。
【００１０】
次に、本発明の構造は、z軸方向の指向性の向上をもたらす効果を説明する。
縦方向（ｚ軸）への放射についての指向性は充分遠方の点（far field）で考える。ＩＥＥＥの規程では波長の１０倍以上の距離で規定され、この点で終端短絡の四分の一線路による効果を考える。
【００１１】
上記で設けた外周導体は、幅が四分の一波長の導体である。この導体平面はアンテナのガイド（リアクタンス用内導体）の面と同一平面である。円筒の外縁を流れる電界と、アンテナまたはアンテナアレイによる合計の電界とは、回転の向きが互いに逆向きである。従って、充分に遠方で、かつ、アンテナまたはアンテナアレイの外側の領域では、電界は互いに逆方向で相殺しあって０となる。即ち、その部分には等価的に導体の円筒が形成されている。即ち、アンテナまたはアンテナアレイの外周に、円形導波管が設置されていることと等しい。
【００１２】
上記、仮想導波管は横方向の放射電界を遮断し、従来横方向に放射されていたマイクロ波のエネルギーは、外部ではなく、内部のｚ方向に集められる。
従ってｚ方向の指向性利得が向上する。また同時に横方向への放射、受信電力エネルギーが抑制されるので、横方向からの電波を受信しにくくなり、希望波対不要波の比（ＤＵ比）が改善される。
【図面の簡単な説明】
【００１３】
【図１】本発明にかかるアンテナの実施の形態を示す縦断面図である。
【図２】本発明にかかるアンテナの第２実施形態を示す平面図である。
【図３】本発明にかかるアンテナの第３実施形態を示す平面図である。
【図４】従来のアンテナの実施の形態を示す縦断面図である。
【発明を実施するための形態】
【００１４】
以下、本発明にかかるアンテナの実施の形態について、図面を参照しながら説明する。
【００１５】
図１に、横方向放射を抑制したアンテナ１の構造を示す。平面型アンテナ１は、トリプレートストリップライン型平面アンテナであり、地導体２３、誘電体１１、共振用内導体２１、誘電体１２、およびリアクタンス用内導体２２により平面型共振器を構成する。共振用内導体２１、リアクタンス用内導体２２、地導体２３の各素子は基板上に作られ、多層基板によって実現される。給電配線３０は地導体２３の下部に基板３１を介して設置され、導体２２に給電する。
【００１６】
外周の導体１３は、地導体２３、誘電体１１、共振用内導体２２、誘電体１２、およびリアクタンス用内導体２１により構成される平面型共振器の、ｚ軸方向（電磁界の主な放射方向）上面において端部に沿って設けられる、中央が開口された幅広の平板状の部材であり、ｚ軸方向に軸を有する筒導体１４を介して、地導体２３に接続し、終端短絡の四分の一波長線路を構成する。
【００１７】
筒導体１４の上面から見た外形は円、正方形、その他も含み限定されない。外周の導体１３の外形は、筒導体１４のｚ軸方向上部の開口の形状に対応している。
【００１８】
図２に本発明に係るアレイアンテナの第２実施形態を示す。本実施形態に係るアレイアンテナ１００において、筒導体１１４内部は１／２波長ストリップライン共振器を複数用いた円偏波アレイアンテナで、共振用内導体１２１ａ、１２１ｂ、１２１ｃおよび１２１ｄ、ならびにリアクタンス用内導体１２２ａ、１２２ｂ、１２２ｃおよび１２２ｄが、それぞれ地導体１２３とともに平面型共振器を構成している。円編波アレイアンテナのｚ軸方向上面において、中央が略円形に開口した円形の導体プレート１１３が端部に沿って設けられ、地導体１２３と接続されている。導体プレート１１３は、言い換えれば幅広の円環状の平板である。この導体プレート１１３は内部のアンテナの最上部、すなわち本形態においてはリアクタンス用内導体１２２ａ、１２２ｂ、１２２ｃおよび１２２ｄと同一平面に構成される。
【００１９】
外周上面の導体プレート１１３と地導体１２３の間には、終端短絡１／４波長線路が形成され、これにより平面アンテナの上部の平面に沿うマイクロ波の伝播を阻止する。さらにマイクロ波の伝搬方向（ｚ軸）へのマイクロ波パワーを集中させることにより、利得を増大させる。
【００２０】
図３は本発明に係るアレイアンテナの第３実施形態を示す。本実施形態に係るアレイアンテナ２００において、筒導体２１４内部は１／２波長ストリップライン共振器を複数用いた線形偏波アレイアンテナで、そのｚ軸方向上面において、中央が略矩形に開口した、角を曲線にした矩形の導体プレート２１３が端部に沿って設けられ、地導体２２３と接続されている。この導体プレート２１３は内部のアンテナの最上部、すなわち本形態においてはリアクタンス用内導体２２２ａ、２２２ｂ、２２２ｃおよび２２２ｄと同一平面に構成される。
【００２１】
外周の導体プレート２１３と地導体２２３の間には、終端短絡１／４波長線路が形成され、これにより平面アンテナの上部の平面に沿うマイクロ波の伝播を阻止する。さらにマイクロ波の伝搬方向（ｚ軸）へのマイクロ波パワーを集中させることにより、利得を増大させる。
【００２２】
なお、上述の各実施形態において、内部のアンテナまたはアレイアンテナの形状に応じて、外周の導体プレートおよび筒導体の外周形状を六角形などの多角形や、その他の形状を用いても同一の効果を得ることができる。
【００２３】
また、本発明の技術的思想は、トリプレートストリップライン型平面アンテナに限られるものではなく、マイクロストリップライン型の平面アンテナにも適用される。
【符号の説明】
【００２４】
１        アンテナ
１３      外周の導体（幅広の導体）
１４      筒導体
２１      リアクタンス用内導体
２２      共振用内導体
２３      地導体
【図１】
2020043422.tif 000003
【図２】
2020043422.tif 000004
【図３】
2020043422.tif 000005
【図４】
2020043422.tif 000006